(57)【要約】【課題】  モバイル情報端末機器に対して着脱自在に取り付けられる外装パネルに方位表示機能を設けて、外装パネルに付加価値を付ける。【解決手段】  パネル側電子回路部８０にＬＥＤ駆動回路８２と該ＬＥＤ駆動回路により駆動される複数のＬＥＤユニット８３を備え、本体側電子回路部８５に無線部８６と本体マイコン８７とＧＰＳ回路８８を備え、ＧＰＳ回路により、ＧＰＳ機能を用いて現在位置を測位し、該現在位置情報と目的地情報を本体マイコンに入力し、本体マイコンにおいて目的地情報及び現在位置情報から目的地までの距離を計算し、目的地の方向を表示するようにした。【選択図】  図２４
2008295077.tif 000002
【特許請求の範囲】
【請求項１】
本体ケースの表面に外装パネルが着脱自在に装着されるモバイル情報端末機器であって、
上記外装パネルは電子回路部（以下、「パネル側電子回路部」という。）を備え、該パネル側電子回路部により方位表示の機能を実行するようにし、
上記パネル側電子回路部にＬＥＤ駆動回路と該ＬＥＤ駆動回路により駆動される複数のＬＥＤユニットを備え、
本体側電子回路部に無線部と本体マイコンと全地球測位システム（ＧＰＳ）回路を備え、
上記ＧＰＳ回路により、ＧＰＳ機能を用いて現在位置を測位し、該現在位置情報と目的地情報を上記本体マイコンに入力し、
上記本体マイコンにおいて上記目的地情報及び現在位置情報から目的地までの距離を計算し、目的地の方向を表示するようにした
モバイル情報端末機器。
【請求項２】
上記パネル側電子回路部にＬＥＤ駆動回路と該ＬＥＤ駆動回路により駆動される複数のＬＥＤユニットを備え、
本体側電子回路部に無線部と本体マイコンと全地球測位システム（ＧＰＳ）回路と地磁気センサーを備え、
上記地磁気センサーによりセンシングした方向性に関する情報が、上記本体マイコンにより処理され、その計測された方向情報が上記外装パネルの方位表示に用いられるようにした
請求項１に記載のモバイル情報端末機器。
【請求項３】
目的地に近づいた場合には、携帯電話機のスピーカからアラーム音を発信するようにした
請求項１に記載のモバイル情報端末機器。
【発明の詳細な説明】
【技術分野】
【０００１】
本発明は、本体ケースの外表面に着脱自在に設けられる外装パネルを備えたモバイル情報端末機器に関し、外装パネルに付加価値を付ける技術に関する。
【背景技術】
【０００２】
モバイル情報端末機器、例えば、携帯電話機は、老若男女を問わず多くのユーザーに所有され、年齢層、個人の趣味趣向の相違から同機種にいくつかの外装（色、デザイン）の異なったものが提供されている。しかし、ユーザーの趣味趣向は多種多様であり、それらをすべて満足させるだけの外装の異なる携帯電話機を用意することは困難である。
【０００３】
そこで、多種多様なニーズに応えるべく、デザインの異なる数種の化粧パネルを用意し、好みの化粧パネルを選択して携帯電話機の外表面に着脱自在に取り付けることができるようにしたものがある。
【０００４】
ところで、携帯電話機のファッション性を高める手段として、アンテナ部分にＬＥＤ（Light Emitting Diode）を組み込んだ製品があるが、これは、携帯電話機の性能に手を加える改造に当たり、法律で禁止されている行為である。
【０００５】
これに対して、上記化粧パネルは、合法的な手段で携帯電話機のファッション性を高めることができる。
【０００６】
このような携帯電話機の一例として、特願２０００−３１４５１９号、特願２００１−３４２１９２号などがある。
【０００７】
そして、このような携帯電話機にあっては、その外表面に複数種の化粧パネルを適宜交換して装着することができ、個性的な携帯電話機を演出できるという効果を奏する。
【０００８】
【特許文献１】特開２００２−１２５０２２号公報
【特許文献２】特開２００３−１４３２６８号公報
【発明の開示】
【発明が解決しようとする課題】
【０００９】
ところが、化粧パネルを交換したとしても、その効果は装飾的な効果でしかなく、しかも、静的なものであるためユーザーに飽きられやすいという問題がある。
【００１０】
そこで、本発明は、モバイル情報端末機器に対して着脱自在に取り付けられる外装パネルに所定の機能を設けることで、外装パネルに付加価値を付けることを課題とする。
【課題を解決するための手段】
【００１１】
上記課題を解決するために、本発明モバイル情報端末機器は、本体ケースの表面に着脱自在に装着される外装パネルにパネル側電子回路部を備え、パネル側電子回路部によって方位表示の機能を実行するようにし、パネル側電子回路部にＬＥＤ駆動回路と該ＬＥＤ駆動回路により駆動される複数のＬＥＤユニットを備え、本体側電子回路部に無線部と本体マイコンと全地球測位システム（ＧＰＳ）回路を備え、ＧＰＳ回路により、ＧＰＳ機能を用いて現在位置を測位し、該現在位置情報と目的地情報を本体マイコンに入力し、本体マイコンにおいて目的地情報及び現在位置情報から目的地までの距離を計算し、目的地の方向を表示するようにしたものである。
【００１２】
従って、本発明にあっては、外装パネルに電子回路部を備えていて、該電子回路部により方位表示の機能を実行することができるので、モバイル情報端末機器の外装パネルに付加価値を付けることができる。
【発明の効果】
【００１３】
本発明モバイル情報端末機器は、本体ケースの表面に着脱自在に装着される外装パネルにパネル側電子回路部を備え、パネル側電子回路部によって方位表示の機能を実行するようにし、パネル側電子回路部にＬＥＤ駆動回路と該ＬＥＤ駆動回路により駆動される複数のＬＥＤユニットを備え、本体側電子回路部に無線部と本体マイコンと全地球測位システム（ＧＰＳ）回路を備え、ＧＰＳ回路により、ＧＰＳ機能を用いて現在位置を測位し、該現在位置情報と目的地情報を本体マイコンに入力し、本体マイコンにおいて目的地情報及び現在位置情報から目的地までの距離を計算し、目的地の方向を表示するようにしたことを特徴とする。
【００１４】
従って、本体ケースの表面に着脱自在に装着された外装パネルが電子回路部を備えていて、該電子回路部によって方位表示の機能を実行することができるので、モバイル情報端末機器の外装パネルの付加価値を高めることができる。
【００１５】
請求項２に記載した発明にあっては、パネル側電子回路部にＬＥＤ駆動回路と該ＬＥＤ駆動回路により駆動される複数のＬＥＤユニットを備え、本体側電子回路部に無線部と本体マイコンと全地球測位システム（ＧＰＳ）回路と地磁気センサーを備え、地磁気センサーによりセンシングした方向性に関する情報が、本体マイコンにより処理され、その計測された方向情報が外装パネルの方位表示に用いられるようにしたので、モバイル情報端末機器のユーザーは移動方向に誤りがないことを確認することができる。
【００１６】
請求項３に記載した発明にあっては、目的地に近づいた場合に、携帯電話機のスピーカからアラーム音を発信するようにしたので、モバイル情報端末機器のユーザーは目的地に近づいたことをアラーム音で知ることができる。
【発明を実施するための最良の形態】
【００１７】
以下に、本発明の実施の最良の形態を、添付図面を参照して詳細に説明する。
【００１８】
図１乃至図１９は、本発明の第１の比較例を示すもので、携帯電話機の外装パネルは着信や通話など携帯電話機の状態を発光部の発光により表示する機能を有するものであり、視覚的な要素を有するので、以下、化粧パネルと称する。
【００１９】
先ず、携帯電話機について説明し、後に化粧パネルについて説明する。また、各図において矢印で示す、Ｕ方向、Ｄ方向、Ｌ方向、Ｒ方向、Ｆ方向、Ｂ方向は、それぞれ、上方、下方、左方、右方、前方、後方を意味するものとする。また、本明細書において示す上記方向性は、携帯電話機１を本明細書において説明するための便宜上のものである。
【００２０】
携帯電話機１は、図１に示すように、ほぼ同等の大きさで上下方向に扁平な箱状を呈する操作部本体２及び表示部本体３と、これら操作部本体２と表示部本体３とを回動自在に連結するヒンジ部４とからなり、このような基本的な構成については、従来の携帯電話機とほぼ同様である。この携帯電話機１は、表示部本体３の外表面に化粧パネルを着脱自在に取り付けることができるようになっている。
【００２１】
また、操作部本体２及び表示部本体３のそれぞれのケース体の材質としては、ポリカーボネート樹脂（ＰＣ樹脂）やポリカーボネートＡＢＳ樹脂（ＰＣ−ＡＢＳ樹脂）等が用いられ、また、化粧パネルの材質としては、ポリカーボネートＡＢＳ樹脂（ＰＣ−ＡＢＳ樹脂）やアクリル樹脂（ＰＭＭＡ）等が用いられる。
【００２２】
携帯電話機１は、未使用時においては、図２乃至図４に示すように、操作部本体２と表示部本体３とがそれぞれの操作面２ａと表示面３ａとが対向するように互いに重ね合わされて折り畳まれた状態で携帯される。また、携帯電話機１は、通話時や電子メール操作時等の使用時においては、図１に示すように、操作部本体２と表示部本体３とが展開された状態で用いられる。
【００２３】
携帯電話機１には、操作部本体２内に充電可能な二次電池パックが収納されており、各部に対して電源の供給が行われる。
【００２４】
操作部本体２は、折畳まれた状態において表示部本体３と対向する一方の主面を操作面２ａとし、この操作面２ａに図１に示すように、テンキー５、ジョグダイヤル６、各種機能ボタン７が設けられている。操作部本体２には、操作面２ａのヒンジ部４と反対側の自由端側に位置して図示しないマイクロホンが内蔵された送話部８が設けられている。
【００２５】
また、操作部本体２には、その操作面２ａのヒンジ部４と反対側の自由端側の端面に、詳細を省略するが二次電池パックに対する充電を行うための充電端子部９が設けられている。
【００２６】
操作部本体２には、ヒンジ部４側の側面であって、その左端に伸縮自在なロッドアンテナを収納したアンテナ部１０が設けられている（図２乃至図４参照）。
【００２７】
表示部本体３は、折畳まれた状態において操作部本体２と対向する一方の主面を表示面３ａとし、該表示面３ａに液晶表示パネル１１が配置されている（図１参照）。
【００２８】
また、この表示面３ａと反対側に位置する他方の主面が化粧パネルが取り付けられる外表面３ｂとされている。表示部本体３には、表示面３ａのヒンジ部４と反対側の自由端側に位置して図示しないスピーカが内蔵された受話部１２が設けられている（図１参照）。
【００２９】
表示部本体３には、その外表面３ｂ側にパネル装着部１３が形成され、該パネル装着部１３を覆うようにして化粧パネルが取り付けられる（図２参照）。
【００３０】
図２に示すように、外表面３ｂの前端寄りの位置に後方を向いた段差面１４を形成し、該段差面１４から後方に位置する部分がパネル装着部１３とされる。そして、該パネル装着部１３の前端を除いた周縁部、即ち、左右側縁及び後端縁を他の部分より低く形成し、該周縁部によって囲まれた扁平な台状部１５が形成される（図２参照）。
【００３１】
また、上記段差面１４はその左右両端寄りの部分が前方に僅かに突出されて左右規制部１４ａ、１４ａとされ、該左右規制部１４ａと１４ａとに挟まれた部分（以下、「中間部分」という。）１４ｂは緩やかに後方へ突出するように湾曲されている（図２参照）。
【００３２】
上記台状部１５の左右両側面には外方に開口し前後方向に延びるスライド溝１６、１６がそれぞれ形成され、また、台状部１５の後端面の左右両端寄りの位置には後方に開口した引掛穴１７、１７が形成されている（図２、図３参照）。
【００３３】
スライド溝１６、１６には、その長さ方向の中央部からやや前方に寄った位置にロックバネ１８、１８が配設されており、該ロックバネ１８、１８は後述するように、当該パネル装着部１３に装着された化粧パネルのスライド方向の位置決めを為すようになっている。
【００３４】
スライド溝１６、１６の底面の一部にバネ配置孔１６ａ、１６ａが形成されている。
【００３５】
上記ロックバネ１８、１８は、扁平なコ字状を為し、その中央部にコ字状の開口と反対側に突出した突部１８ａ、１８ａが形成されている。
【００３６】
そして、ロックバネ１８、１８は表示部本体３内の上記スライド溝１６、１６が形成された部位の内側に配設され、上記バネ配置孔１６ａ、１６ａから上記突部１８ａ、１８ａがスライド溝１６、１６内に突出するようにされている（図６参照）。
【００３７】
上記ロックバネ１８、１８は、導電性を有する板バネ材料（たとえば、ＳＵＳ：ステンレス）により形成されており、携帯電話機１側の電子回路部（以下、「本体側電子回路部」という。）１９に接続されて、携帯電話機１側の外部端子となっている（図６参照）。
【００３８】
尚、詳細は省略するが、携帯電話機１には、無線部２０とマイクロコンピュータ（以下、「本体マイコン」という。）２１とを備え、無線部２０は着信を検知し、本体マイコン２１はその着信等の種類（通常着信、指定着信、メール着信、通話中等）を判断する（図８参照）。
【００３９】
化粧パネル３０は、その裏面側に所定の機能を有するパネル側電子回路部３１が設けられ、該パネル側電子回路部３１は、マイクロコンピュータ（以下、「パネルマイコン」という。）３２とＬＥＤ駆動回路３３と２つのＬＥＤユニット３４、３４を有する。従って、上記パネル側電子回路部３１の所定の機能とは、ＬＥＤユニット３４、３４を光輝させることであり、ＬＥＤユニット３４、３４の光輝により所望の表示を行うことができる（図３、図８参照）。
【００４０】
各ＬＥＤユニット３４は３つのＬＥＤ（赤、青、緑）を備え、各ＬＥＤへの駆動電流値を変えることにより、例えば、２４色を表示できるようになっている。
【００４１】
また、化粧パネル３０の前端部には、平面で見て三日月状をした導光体３５が配設され、該導光体３６は化粧パネル３０の表裏両面から視認できるようになっている。
【００４２】
上記ＬＥＤユニット３４、３４は化粧パネル３０の裏面側において上記三日月状の導光体３５の両端部にそれぞれ対向するように配置されている（図５参照）。
【００４３】
そして、該ＬＥＤユニット３４、３４から出射された光束は導光体３５に入射され、これによって、化粧パネル３０の表面側から見て導光体３５が光輝するようになっている。
【００４４】
尚、この導光体３５の点灯パターン、点滅パターンについては後述する。
【００４５】
そして、このような化粧パネル３０は、携帯電話機１の上記したパネル装着部１３に収まる形状に形成されている。
【００４６】
化粧パネル３０の前端縁の左右両端部には、上記パネル装着部１３の左右規制部１４ａ、１４ａに対応した形状の左右規制片３０ａ、３０ａが突設され、これら左右規制片３０ａと３０ａとの間の部分が上記段差面１４の中間部分１４ｂに対応した形状に形成されている（図２、図３参照）。
【００４７】
また、化粧パネル３０の左右両側部の下面には、その前後方向におけるほぼ中央部であって、上記スライド溝１６、１６に対応する部分にそれぞれ互いに近づく方向（内方）に突出した係合突条３６、３６が形成されている（図６参照）。
【００４８】
上記係合突条３６、３６には上記ロックバネ１８、１８の突部１８ａ、１８ａに対向した部位に係止部３７、３７が形成されている。即ち、係合突条３６の内方への突出量は、その全長に亘ってほぼ一定であるが、長さ方向のほぼ中央部にさらに内方に突出した凸部３７ａと該凸部３７ａ後側に連続して位置する凹部３７ｂとが形成され、これら凸部３７ａと凹部３７ｂとによって係止部３７が構成される（図６参照）。
【００４９】
また、少なくとも上記係止部３７、３７は導電性材料で形成されていて、該係止部３７、３７は上記パネル側電子回路部３１に各別に接続され、外部との接続端子となっている（図７参照）。
【００５０】
さらに、化粧パネル３０の後端縁の裏側には、その左右両端寄り位置に、前方へ突出した係合片３８、３８が形成されており、これら２つの係合片３８、３８は上記表示部本体３に形成した引掛穴１７、１７にそれぞれ対応している（図６参照）。
【００５１】
以上のように構成された化粧パネル３０を上記携帯電話機１のパネル装着部１３に装着するときは、先ず、化粧パネル３０の前端縁を表示部本体３のパネル装着部１３に載せ、次に、化粧パネル３０を前方に移動させる。すると、表示部本体３のスライド溝１６、１６に化粧パネル３０の係合突条３６、３６が係合する。
【００５２】
そして、ロックバネ１８、１８が係合突条３６、３６の係止部３７、３７に係止すると、化粧パネル３０の携帯電話機１のパネル装着部１３に対するスライド方向の位置決めが為される。
【００５３】
即ち、化粧パネル３０を前方に移動させて行くと、ロックバネ１８の突部１８ａの先端が係合突条３６の係止部３７の前側の凸部３７ａに接触して、ロックバネ１８が最も変形され、内側に撓むようになっている。
【００５４】
さらに、前方へ移動させると、ロックバネ１８の突部１８ａの先端が係合突条３６の係止部３７の前側の凸部３７ａを載り越え、次に、係合突条３６の係止部３７の凹部３７ｂに係合する。
【００５５】
これにより、係合突条３６がスライド溝１６に対してきつめに狭持された状態で、摺動して上端部までスライドされて、化粧パネル３０の表示部本体３へ取付が完了する。
【００５６】
また、これにより、本体側電子回路部１９とパネル側電子回路部３１とが、ロックバネ１８、１８と係合突条３６、３６の係止部３７、３７とを介して電気的に接続される。
【００５７】
またこれと同時に、化粧パネル３０の後端縁に設けた係合片３８、３８が表示部本体３の引掛穴１７、１７にそれぞれ挿入されて、化粧パネル３０の携帯電話機１のパネル装着部１３への取付が完了する。これにより、化粧パネル３０は表示部本体３からその重ね合わせ方向に剥がれにくくなり、装着状態を安定にすることができる。
【００５８】
尚、化粧パネル３０を表示部本体３から取り外す場合には、上述した取付方向と反対方向に化粧パネル３０をスライドさせるだけで、簡単に取り外すことができる。
【００５９】
しかして、当該化粧パネル３０は、着信などの携帯電話機１の状態に合わせて、上記ＬＥＤユニット３４、３４を光輝させて、所定の表示を行う。尚、以下の点滅又は点灯パターンは上記パネルマイコン３２に予め記憶されている。また、着信等の種類は本体マイコン２１によって判断されると共に、その情報がパネルマイコン３２に伝えられる。
【００６０】
尚、化粧パネル３０側の係止部３７、３７と携帯電話機１側のロックバネ１８、１８との接触により、上述の信号と共に化粧パネル３０への電源供給が携帯電話機１側から為される。
【００６１】
そして、例えば、通常着信の場合は、一方のＬＥＤユニット３４ｌと他方のＬＥＤユニット３４ｒとを共に色Ａに光輝させ、かつ同時に点滅させるようにする（図９参照）。
【００６２】
また、メール着信の場合は、一方のＬＥＤユニット３４ｌと他方のＬＥＤユニット３４ｒとを共に色Ｂに光輝させ、かつ同時に点滅させるようにする（図１０参照）。
【００６３】
さらに、特定のグループ着信の場合は、一方のＬＥＤユニット３４ｌを色Ａに、他方のＬＥＤユニット３４ｒを色Ｂに光輝させ、かつ交互に点滅させるようにする（図１１参照）。
【００６４】
さらにまた、通話中にあっては、点灯中のＬＥＤユニット３４ｌと３４ｒの色を徐々に変化させるようにする。
【００６５】
具体的には、ＬＥＤユニット３４ｌを色Ａ→色Ｂ→色Ｃ・・・色Ｘ→色Ｙ→色Ｚ・・・と変化させ、ＬＥＤユニット３４ｒを上記ＬＥＤユニット３４ｌより１つ早めて、色Ｂ→色Ｃ→色Ｄ・・・色Ｙ→色Ｚ→色Ａ・・・と変化させるようにする（図１２参照）。
【００６６】
これにより、化粧パネル３０に「光輝による表示を行う」という機能を持たせることができ、付加価値を付けることができる。
【００６７】
しかも、この第１の実施の形態にあっては、ロックバネ１８、１８と係止部３７、３７との接触により、本体マイコンとパネルマイコンとを接続することができ、着信の種類に応じて点灯パターン又は点滅パターンを変化させることができ、より付加価値を高めることができる。
【００６８】
また、この第１の実施の形態にあっては、化粧パネル３０側に電源を設ける必要がないので、化粧パネル３０の軽量化及び小型化に寄与する。
【００６９】
尚、この実施の形態にあっては、２つのＬＥＤユニット３４ｌ、３４ｒを設けたが、これに限らず、１つのＬＥＤユニットだけでも良いし、また、単色のＬＥＤを１つ設けたものであっても良い。複数のＬＥＤユニットを設けることにより、多彩な表示パターンを表現することができるが、本発明には、上述のように、単色の表示であってもその機能を果たすことができる。
【００７０】
図１３乃至図１７は上記第１の比較例における導光体の各変形例を示すもので、図１３は導光体の第１の変形例を示す。
【００７１】
第１の変形例ににかかる導光体３５Ａは平面で見て、前方に向かって凹のブーメラン状を為す。
【００７２】
そして、２つのＬＥＤユニット３４ｌ、３４ｒはそれぞれ導光体３５Ａの両前端部にそれぞれ対向するように配設されている。
【００７３】
図１４は導光体の第２の変形例を示し、導光体３５Ｂは平面で見て、縦長な矩形状を為す。
【００７４】
そして、２つのＬＥＤユニット３４ｌ、３４ｒはそれぞれ導光体３５Ｂの左右両側縁部の前後方向のほぼ中央部にそれぞれ対向するように配設されている。
【００７５】
図１５は導光体の第３の変形例を示し、導光体３５Ｃは平面で見て、横長で幅の狭い矩形状を為す。
【００７６】
そして、２つのＬＥＤユニット３４ｌ、３４ｒはそれぞれ導光体３５Ｃの左右両端部にそれぞれ対向するように配設されている。
【００７７】
図１６は導光体の第４の変形例を示し、導光体３５Ｄは平面で見て、縦長な矩形状を為す。
【００７８】
そして、２つのＬＥＤユニット３４ｌ、３４ｒはそれぞれ導光体３５Ｄの上下両端部にそれぞれ対向するように配設されている。
【００７９】
図１７は導光体の第５の変形例を示し、導光体３５Ｅは平面で見て、横長で幅の狭い矩形状を為す。
【００８０】
そして、２つのＬＥＤユニット３４ｌ、３４ｒはそれぞれ導光体３５Ｅの上下両側縁部の左右方向のほぼ中央部にそれぞれ対向するように配設されている。
【００８１】
しかして、このような各変形例に導光体３５Ａ、３５Ｂ、・・・、３５Ｅにあっても、左右又は上下に配設した２つのＬＥＤユニット３４ｌ、３４ｒにより、色の組合せを多彩に表現することができ、より付加価値を高めることができる。
【００８２】
図１８及び図１９は上記第１の比較例における携帯電話機と化粧パネルとの接続手段の各変形例を示すもので、図１８は接続手段の第１の変形例を示す。
【００８３】
具体的には、この携帯電話機１Ａのパネル装着部１３Ａは、その前側左右両端部に形成された係止部４１、４１（図には一方のみ示す。）と、その後側左右両端部に形成された係止孔４２、４２（図には一方のみ示す。）とを有する（図１８参照）。
【００８４】
そして、上記係止部４１、４１は、パネル装着部１３Ａの左右規制部１４ａ、１４ａに差込穴として形成される。
【００８５】
また、上記係止孔４２、４２には、ゴム材料から成り中心に圧入孔が形成された圧入ブッシュ４３、４３（図には一方のみ示す。）が嵌合され、該圧入ブッシュ４３、４３の底面には導電性材料から成る接片４４、４４（図には一方のみ示す。）が設けられ、該接片４４、４４は本体側電子回路部１９に接続されていて、これにより、接片４４、４４が携帯電話機１Ａ側の外部端子となっている。
【００８６】
一方、化粧パネル３０Ａは、左右規制片３０ａ、３０ａの前端部が上記係止部４１、４１に差し込まれる爪形状に形成され、また、その後端部裏面であって、上記圧入ブッシュ４３、４３の圧入孔に対応する位置に導電性材料から成る圧入ボス４５、４５（図には一方のみ示す。）が設けられている（図１８参照）。
【００８７】
上記圧入ボス４５、４５は上記パネル側電子回路部３１に各別に接続され、外部との接続端子となっている（図１８参照）。
【００８８】
しかして、化粧パネル３０Ａを携帯電話機１Ａのパネル装着部１３Ａに取り付けるには、化粧パネル３０Ａの左右規制片３０ａ、３０ａをパネル装着部１３Ａの係止部４１、４１にその後方から差し込み、該差し込んだ部分を支点として後端部を回動させ圧入ボス４５、４５をパネル装着部１３Ａの圧入ブッシュ４３、４３の圧入孔に圧入する（図１８参照）。
【００８９】
これにより、化粧パネル３０Ａは携帯電話機１Ａのパネル装着部１３Ａに取り付けられると共に、本体側電子回路部１９とパネル側電子回路部３１とが、接片４４、４４と圧入ボス４５、４５とを介して電気的に接続される。
【００９０】
このように、第１の変形例にあっては、電気的接続を簡単に採ることができると共に、圧入ボス４５、４５が圧入ブッシュ４３、４３の圧入孔に圧入されるため、装着状態を比較的強固に保持することができる。
【００９１】
図１９は上記第１の比較例における携帯電話機と化粧パネルとの接続手段の第２の変形例を示す。
【００９２】
ここで、上記第１の変形例は、化粧パネル３０Ａを２点で係止し、他の２点で圧入して保持するものであるのに対して、この第２の変形例は、化粧パネル３０Ｂを、４点で圧入して保持するものである。
【００９３】
具体的には、この携帯電話機１Ｂのパネル装着部１３Ｂは、その前側左右両端部及び後側左右両端部の４箇所に形成された係止孔５１、５１、・・・（図には２つのみ示す。）を有する（図１９参照）。
【００９４】
そして、各係止孔５１、５１、・・・には、ゴム材料から成り中心に圧入孔が形成された圧入ブッシュ５２、５２、・・・（図には２つのみ示す。）がそれぞれ嵌合され、４つのうち少なくとも２つの圧入ブッシュ５２、５２の底面には導電性材料から成る接片５３、５３（図には１つのみ示す。）が設けられ、該接片５３、５３は本体側電子回路部１９に接続されていて、これにより、接片５３、５３が携帯電話機１Ｂ側の外部端子となっている（図１９参照）。
【００９５】
一方、化粧パネル３０Ｂは、その前端部及び後端部の裏面であって、上記各圧入ブッシュ５２、５２、・・・の圧入孔に対応する位置に圧入ボス５４、５４、・・・が形成され、上記接片５３、５３が設けられた圧入ブッシュ５２、５２に対応する圧入ボス５４、５４は導電性材料で形成されている（図１９参照）。
【００９６】
また、この圧入ボス５４、５４は上記パネル側電子回路部３１に各別に接続され、外部との接続端子となっている（図１９参照）。
【００９７】
しかして、化粧パネル３０Ｂを携帯電話機１Ｂのパネル装着部１３Ｂに取り付けるには、化粧パネル３０Ｂの４つの上記圧入ボス５４、５４、・・・を上記圧入ブッシュ５２、５２、・・・の圧入孔に圧入する（図１９参照）。
【００９８】
これにより、化粧パネル３０Ｂは携帯電話機１Ｂのパネル装着部１３Ｂに取り付けられると共に、本体側電子回路部１９とパネル側電子回路部３１とが、接片５３、５３と圧入ボス５４、５４とを介して電気的に接続される。
【００９９】
このように、第２の変形例にあっては、上述のように電気的接続を簡単に図ることができると共に、圧入ボス５４、５４、・・・が圧入ブッシュ５２、５２、・・・の圧入孔に圧入されるため、装着状態を比較的強固に保持することができる。
【０１００】
図２０は、本発明の第２の比較例を示すものであり、上記第１の比較例と比較して相異する点は、上記第１の比較例にあっては化粧パネル３０への電源供給を、携帯電話機１と化粧パネル３０との電気的接続を図り、携帯電話機１の電源をパネル側電子回路部の電源としても利用するものであったが、この第２の比較例にあっては携帯電話機の送信波を受信してパネル側電子回路部の駆動電力を取り出すものである。
【０１０１】
従って、この第２の比較例の説明は、上記相違点についてのみ行い、他の部分については省略する。
【０１０２】
図２０は、化粧パネル３０Ｃのパネル側電子回路部６０を示すブロック図である。
【０１０３】
パネル側電子回路部６０は、アンテナ部６１と検波回路６２とＬＥＤ駆動回路６３と２つのＬＥＤ６４、６４を有する。尚、以下に示す各実施の形態及び各変形例については、発光部として単色のＬＥＤを適用したものである。
【０１０４】
アンテナ部６１は携帯電話機１Ｃの送信波を受信するものである。
【０１０５】
アンテナ部６１には、チップ型アンテナ、基板パターンによるパターンアンテナ、ＬＣ共振アンテナなどを適用することができる。
【０１０６】
パターンアンテナの場合、例えば、携帯電話機１Ｃの送信波の波長が３２〜３４cmとすると、λ／４長の約８cmとなり、当該化粧パネル３０Ｃ内に十分収納できる大きさとすることができる。
【０１０７】
また、検波効率を上げるために、携帯電話機１Ｃのアンテナ部１０の近傍にパターンアンテナを形成することが好ましい。
【０１０８】
検波回路６２では、受信した送信波を検波し、整流して送信波電力にする。
【０１０９】
尚、図示は省略したが、パターンアンテナの場合、アンテナ部６１と検波回路６２との間に整合回路を設け、十分な長さが確保できないときに、インダクタ（Ｌ）やコンデンサ（Ｃ）で整合をとっても良い。
【０１１０】
しかして、上述のように検波回路６２により送信波電力を得て、これをＬＥＤ駆動回路６３に供給する。
【０１１１】
ＬＥＤ駆動回路６３においては、検波電流に応じて後段のＬＥＤ６４、６４を点灯乃至点滅させることになる。
【０１１２】
尚、この第２の比較例にあっては、着信の種類の判別はできないが、ＬＥＤ６４ｌ、６４ｒが同時に点滅し、その点滅パターンは上記携帯電話機１Ｃの送信波の送信周期に連動することになる。
【０１１３】
また、必要に応じて、二次電池などの補助電源を設けても良く、その場合、例えば、検波回路６２とＬＥＤ駆動回路６３との間に介挿する。
【０１１４】
図２１は、上記第２の比較例における電子回路部の変形例を示すブロック図である。
【０１１５】
化粧パネル３０Ｄのパネル側電子回路部７０は、アンテナ部７１と検波回路７２と電源部７３とパネルマイコン７４とＬＥＤ駆動回路７５と２つのＬＥＤ７６、７６を有する。
【０１１６】
アンテナ部７１は携帯電話機１Ｄの送信波を受信するものである。
【０１１７】
検波回路７２では、受信した送信波を検波し、整流して送信波電力にする。
【０１１８】
これを受けてパネルマイコン７４は着信を検知する。
【０１１９】
パネルマイコン７４には電源部７３が接続されており、また、パネルマイコン７４に予め点灯パターン又は点滅パターンがメモリされている。
【０１２０】
しかして、上述のように検波回路７２により送信波電力を得て、これをトリガーとしてパネルマイコン７４は予め登録しておいた点灯パターン又は点滅パターンに基づき駆動信号をＬＥＤ駆動回路７５に発し、ＬＥＤ駆動回路７５においては、その駆動信号に応じて後段のＬＥＤ７６、７６を点灯乃至点滅させることになる。
【０１２１】
尚、この第２の比較例にあっても、着信の種類の判別はできないが、パネルマイコン７４に予め登録しておいた点灯パターン乃至点滅パターンに基づき、例えば、ＬＥＤ７６ｌ、７６ｒを交互に点滅させるなど、ＬＥＤ７６、７６を独立させて駆動することができる。
【０１２２】
前記した第１の比較例及び第２の比較例は上述のように、携帯電話機１の状態を発光部の発光により表示する機能を有するものであったが、本発明はこのような機能に限定されず、他の機能も付加される。
【０１２３】
図２２乃至図２５は、本発明の第１の実施の形態を示したもので、この第１の実施の形態は、外装パネルに方位表示機能を備えたものである。
【０１２４】
第１の実施の形態にかかる化粧パネル３０Ｅは、パネル側電子回路部８０を備え、該パネル側電子回路部８０はパネルマイコン８１とＬＥＤ駆動回路８２と８個のＬＥＤ８３、８３、・・・を有する。
【０１２５】
８個のＬＥＤ８３、８３、・・・は、化粧パネル３０Ｅの表面に描かれた十字状の方位表示８４の周囲に８個が等間隔に配列され（図２２参照）、上記ＬＥＤ駆動回路８２により駆動される。
【０１２６】
携帯電話機１Ｅは、本体側電子回路部８５を備え、該本体側電子回路部８５は無線部８６と本体マイコン８７と全地球測位システム（ＧＰＳ：Global Positioning System）回路８８を備える。尚、ＧＰＳ回路８８には、ＧＰＳアンテナを含むものとし、図示は省略する。
【０１２７】
しかして、化粧パネル３０Ｅの方位表示機能を利用するには以下のようにする。
【０１２８】
（１）携帯電話機１ＥのＧＰＳ回路８８により、ＧＰＳ機能を用いて現在位置を側位し、現在位置情報を本体マイコン８７に入力する。
【０１２９】
（２）目的地情報を側位サービスを利用して入手し、該目的地情報を本体マイコン８７に入力する。
【０１３０】
（３）目的地情報及び現在位置情報を本体マイコン８７からパネルマイコン８１に伝える。
【０１３１】
（４）パネルマイコン８１により、ＬＥＤ駆動回路８２を駆動して、所定のＬＥＤ８３を点灯させる。具体的には、現在位置を上記十字方位表示８４の交点（中心）として、目的地の方向のＬＥＤ８３を点灯させる（図２４（ａ）参照）。図面には目的地が現在位置から見て「北方：Ｎ」にあることを表示している。
【０１３２】
（５）ユーザーの移動方向を計算する。かかる計算は、少なくとも２点の現在位置情報から算出して本体マイコン８７が行う。
【０１３３】
（６）上記移動方向の情報を本体マイコン８７からパネルマイコン８１に伝える。
【０１３４】
（７）パネルマイコン８１により、ＬＥＤ駆動回路８２を駆動して、所定のＬＥＤ８３を点滅させる。このとき、上記（４）にて目的地情報を表示した方向と移動方向とが異なっている場合には、上記目的地情報により点灯しているＬＥＤ８３と異なったＬＥＤ８３が点滅する。これにより、ユーザーは目的地の方向と異なった方向に移動してしまったことを認識する（図２４（ｂ）参照）。尚、図２４（ｂ）には、目的地の方向を表示するＬＥＤ８３も当初のＬＥＤ８３と異なったものが点灯しているが、これは、すでにユーザーが移動したことにより、現時点（実線で描いた「顔印」の位置）での目的地の方向となっているためである。
【０１３５】
（８）そこで、ユーザーは方向転換をして、上記（３）〜（７）を繰り返す。これにより、ユーザーの移動方向と目的地の方向とが一致すると、目的地の方向を表示するＬＥＤ８３と移動方向とを表示するＬＥＤ８３とが同じものとなり、該ＬＥＤ８３が点滅する（図２４（ｃ）参照）。
【０１３６】
尚、図示は省略したが、化粧パネル３０Ｅと携帯電話機１Ｅとの電気的接続は、上述した接続手段による。
【０１３７】
図２５は、第１の実施の形態における電子回路部の変形例を示すものである。この変形例にかかるパネル側電子回路部８０Ａには、パネルマイコンがなく、上記第１の実施の形態で示したパネル側電子回路部８０のパネルマイコン８１の機能を本体マイコン８７に持たせたものである。
【０１３８】
これにより、化粧パネル３０Ｅの軽量化を図ることができる。
【０１３９】
図２６乃至図３０は、本発明の第２の実施の形態を示したもので、この第２の実施の形態も、上記第１の実施の形態と同様に、外装パネルに方位表示機能を備えたものであるが、第２の実施の形態が上記第１の実施の形態と相違するところは、ユーザーが進むべき方向（左右前後方向）を示すものであり、目的地の方向は示さない点である。
【０１４０】
第２の実施の形態にかかる化粧パネル３０Ｆは、パネル側電子回路部９０を備え、該パネル側電子回路部９０はパネルマイコン９１とＬＥＤ駆動回路９２と４個のＬＥＤ９３、９３、・・・と地磁気センサー９４を有する。
【０１４１】
４個のＬＥＤ９３、９３、・・・は、化粧パネル３０Ｆの表面に描かれた十字状の方位表示９５の各線分の先端に各別に配列され（図２６参照）、上記ＬＥＤ駆動回路９２により駆動される。
【０１４２】
また、各ＬＥＤ９３、９３、・・・の周方向の間には、ほぼ４分円の弧状の導光体９６、９６、・・・が各別に配置されており、これら導光体９６、９６、・・・の両端面が上記各ＬＥＤ９３、９３に対向して配置され、これにより、ＬＥＤ９３が発光すると、上記導光体９６は、その受光側が濃く、反対側に行くに従い着色が薄くなるように光輝する。
【０１４３】
地磁気センサー９４によりセンシングした方向性に関する情報は、パネルマイコンにより処理され、その計測が行われる。
【０１４４】
携帯電話機１Ｆは、本体側電子回路部９７を備え、該本体側電子回路部９７は無線部９８と本体マイコン９９とＧＰＳ回路１００を備える。尚、ＧＰＳ回路１００には、ＧＰＳアンテナを含むものとし、図示は省略する。
【０１４５】
しかして、化粧パネル３０Ｆの方位表示機能を利用するには以下のようにする。
【０１４６】
（１）携帯電話機１ＦのＧＰＳ回路１００により、ＧＰＳ機能を用いて現在位置を側位し、現在位置情報を本体マイコン９９に入力する。
【０１４７】
（２）目的地情報を側位サービスを利用して入手し、該目的地情報を本体マイコン９９に入力する。尚、この目的地情報はＬＥＤ９３には表示されない。
【０１４８】
（３）目的地情報及び現在位置情報を本体マイコン９９からパネルマイコン９１に伝える。
【０１４９】
（４）地磁気センサー９４により得られた方向性の情報はパネルマイコン９１により処理され、当該化粧パネル３０Ｆが向いている方向が計測される。
【０１５０】
（５）現在位置情報と目的地情報とからこれらの位置関係をパネルマイコン９１により計算してＬＥＤ駆動回路９２を駆動し、進むべき方向のＬＥＤ９３を点滅させる。この例では、化粧パネル３０Ｆの向きに対して右方が自分の進むべき方向であること、即ち、その方向に目的地があることを認識する（図２８（ａ）参照）。
【０１５１】
また、自分の進むべき方向が右斜め前方のように斜めである場合には、隣接する２つ、例えば、前側と右側の２つのＬＥＤ９３、９３を共に点滅させる。かかる場合、ＬＥＤ９３、９３の表示色を変えておくことにより、わかりやすい（図２８（ｂ）参照）。
【０１５２】
そして、図２８（ｃ）は自分の進むべき方向と目的地の方向とが一致した状態であり、ユーザーはそのまま前方へ進めば良いことが容易に理解できる。
【０１５３】
また、図２８（ｄ）は自分の進むべき方向に移動している状態を示し、自分が移動している方向に誤りがないことを確認することができる。
【０１５４】
尚、図示は省略したが、化粧パネル３０Ｆと携帯電話機１Ｆとの電気的接続は、上述した接続手段による。
【０１５５】
図２９は、第２の実施の形態における電子回路部の変形例を示すものである。この変形例にかかるパネル側電子回路部９０Ａには、パネルマイコン及び地磁気センサーがなく、上記２の実施の形態で示したパネル側電子回路部９０のパネルマイコン９１の機能を本体マイコン９９に持たせると共に、本体マイコン９９に地磁気センサー９４Ａを接続したものである。
【０１５６】
これにより、化粧パネル３０Ｆの軽量化を図ることができる。
【０１５７】
図３０は、上記第２の実施の形態における導光体９６の変形例である。
【０１５８】
この変形例にかかる導光体９６Ａ、９６Ａ、・・・は平面で見てくさび形をしており、その尖端部が近接するように全体として十字状に配列されている。
【０１５９】
そして、このような導光体９６Ａ、９６Ａ、・・・には各別にＬＥＤ（図示は省略する。）が近接して配置され、ＬＥＤの発光による光束を受光して表示を為す。
【０１６０】
図３１乃至図３４は、本発明モバイル情報端末機器及びその外装パネルの第５の実施の形態を示したもので、目的地に近づいたことを知らせるアラーム機能を備えたものである。
【０１６１】
第５の実施の形態にかかる化粧パネル３０Ｇは、パネル側電子回路部１１０を備え、該パネル側電子回路部１１０はパネルマイコン１１１とＬＥＤ駆動回路１１２と３個のＬＥＤ１１３、１１３、１１３を有する（図３２参照）。
【０１６２】
化粧パネル３０Ｇの表面には十字状の方位表示１１４が描かれていると共に、該方位表示１１４の中心から前方に向かって３つの円形をした導光体１１５、１１５、１１５が配設され、各導光体１１５、１１５、１１５の裏面側に上記ＬＥＤ１１３、１１３、１１３が各別に対向するように配設されている（図３１参照）。
【０１６３】
また、導光体１１５、１１５、１１５は大きさが異なり、上記方位表示１１４に中心に位置するものが最も大きく、前方に行くに従いその大きさは小さくなっている（図３１参照）。
【０１６４】
そして、上記ＬＥＤ駆動回路１１２により各ＬＥＤ１１３、１１３、１１３が各別に発光されると、対応する各導光体１１５ｌ、１１５ｍ、１１５ｓが光輝し、化粧パネル３０Ｇの表面側から視認される。尚、導光体１１５ｌが中心に位置したもの、導光体１１５ｍがその１つ前に位置したもの、導光体１１５ｓが最も前側に位置したものを示す（図３１参照）。
【０１６５】
携帯電話機１Ｇは、本体側電子回路部１１６を備え、該本体側電子回路部１１６は、無線部１１７と本体マイコン１１８とＧＰＳ回路１１９を備える。尚、ＧＰＳ回路１１９には、ＧＰＳアンテナを含むものとし、図示は省略する（図３２参照）。
【０１６６】
しかして、化粧パネル３０Ｇの上述したアラーム機能を利用するには以下のようにする。
【０１６７】
（１）携帯電話機１ＧのＧＰＳ回路１１９により、ＧＰＳ機能を用いて現在位置を側位し、現在位置情報を本体マイコン１１８に入力する。
【０１６８】
（２）目的地情報を側位サービスを利用して入手し、該目的地情報を本体マイコン１１８に入力する。尚、この目的地情報はＬＥＤ１１３には表示されない。
【０１６９】
（３）本体マイコン１１８において上記目的地情報及び現在位置情報から目的地までの距離Ｄを計算し、その計算値を距離情報としてパネルマイコン１１１に伝える。
【０１７０】
（４）パネルマイコン１１１は距離情報に基づき、ＬＥＤ１１３、１１３、１１３を選択的に点滅させ、対応する導光体１１５ｌ、１１５ｍ、１１５ｓを光輝させる。尚、導光体１１５ｌに対応したものをＬＥＤ１１３ｌ、導光体１１５ｍに対応したしたものをＬＥＤ１１３ｍ、導光体１１５ｓが対応したものをＬＥＤ１１３ｓと示す。
Ｄ＞１ｋｍ ：点灯させない。
【０１７１】
１ｋｍ≧Ｄ≧５００ｍ：ＬＥＤ１１３ｓを点滅（図３３（ａ）参照）
５００ｍ≧Ｄ≧１００ｍ：ＬＥＤ１１３ｍを点滅（図３３（ｂ）参照）
１００ｍ≧Ｄ≧５０ｍ ：ＬＥＤ１１３ｌを点滅（図３３（ｃ）参照）
５０ｍ≧Ｄ≧０ｍ ：すべてのＬＥＤ１１３を点灯（図３３（ｄ）参照）。
【０１７２】
また、図示は省略したが、目的地に近づいた場合には、上記表示（図３３（ｄ））のほか、携帯電話機１Ｇのスピーカからアラーム音を発信するようにしても良い。
【０１７３】
図３４は、第３の実施の形態における電子回路部の変形例を示すものである。この変形例にかかるパネル側電子回路部１１０Ａには、パネルマイコンがなく、上記第３の実施の形態で示したパネル側電子回路部１１０のパネルマイコン１１１の機能を本体マイコン１１８に持たせたものである。
【０１７４】
これにより、化粧パネル３０Ｇの軽量化を図ることができる。
【０１７５】
図３５乃至図３８は、本発明の第３の比較例を示したもので、オーディオレベルを表示する機能を備えたものである。
【０１７６】
第３の比較例にかかる化粧パネル３０Ｈは、パネル側電子回路部１２０を備え、該パネル側電子回路部１２０はパネルマイコン１２１とＬＥＤ駆動回路１２２と１０個のＬＥＤ１２３、１２３、・・・を有する（図３６参照）。
【０１７７】
化粧パネル３０Ｈには、左右に分かれて５つずつのＬＥＤ１２３ｌ、１２３ｌ、・・・と１２３ｒ、１２３ｒ、・・・とが前後方向に並ぶようにそれぞれ配列されている。
【０１７８】
また、左右に並んで配列されたＬＥＤ１２３ｌ、１２３ｌ、・・・と１２３ｒ、１２３ｒ、・・・のうち最も前端に位置するもの１２３ｌｆ、１２３ｒｆとそれ以外のＬＥＤ１２３、１２３、・・・とではその表示色が異なるようになっている（図３５参照）。これにより、前端に位置したＬＥＤ１２３ｌｆ、１２３rｆが発光することにより最大のオーディオレベルであることが分かる。
【０１７９】
そして、各ＬＥＤ１２３、１２３、・・・は上記ＬＥＤ駆動回路１２２により駆動される。
【０１８０】
携帯電話機１Ｈは、本体側電子回路部１２４を備え、該本体側電子回路部１２４は、無線部１２５と本体マイコン１２６とスピーカ１２７を備え、該スピーカ１２７は本体マイコン１２６によって駆動され、該駆動信号と同期した情報がパネルマイコン１２１に伝えられ、これを受けて、パネルマイコン１２１はＬＥＤ駆動回路１２２を駆動して、所定のＬＥＤ１２３、１２３、・・・を発光させる。
【０１８１】
これにより、上記ＬＥＤ１２３、１２３、・・・による表示は、上記スピーカ１２７の音量レベルに連動して表示され、ステレオ信号のＬ信号レベルとＲ信号レベルが表示される。
【０１８２】
尚、スピーカ１２７を駆動する場合としては、例えば、携帯電話機１Ｈの着信音や携帯電話機１Ｈに備えられたゲームソフトの効果音など種々のものが考えられる。
【０１８３】
図３７は、第３の実施の形態における電子回路部の変形例を示すものである。この変形例にかかるパネル側電子回路部１２０Ａには、パネルマイコンがなく、上記第３の実施の形態で示したパネル側電子回路部１２０のパネルマイコン１２１の機能を本体マイコン１２６に持たせたものである。
【０１８４】
これにより、化粧パネル３０Ｈの軽量化を図ることができる。
【０１８５】
図３８は、上記第３の比較例における化粧パネル３０Ｉの変形例である。
【０１８６】
この変形例にかかる化粧パネル３０Ｉは前後方向に長い矩形状をした３つの導光体１２８ｌ、１２８ｍ、１２８ｈが左右方向に隣接して配列されている。
【０１８７】
この変形例における電子回路部は省略したが、上記第３の比較例における電子回路部とほぼ同様のものが用いられる。
【０１８８】
また、図示は省略したが、各導光体１２８ｌ、１２８ｍ、１２８ｈの後端部にはＬＥＤが各別に対向するように配設されており、各ＬＥＤはスピーカと連動して、オーディオ信号の周波数帯域（この例では「ｌ:低域」「ｍ：中域」「ｈ：高域」の３つの帯域）毎のレベルが表示される。また、各レベルの高低は上述したものと同様に、各ＬＥＤへの駆動電流値を変えることにより表示する。
【０１８９】
図３９乃至図４１は、本発明の第４比較例を示したもので、メトロノームを表示する機能を備えたものである。
【０１９０】
第４の比較例にかかる化粧パネル３０Ｊは、パネル側電子回路部１３０を備え、該パネル側電子回路部１３０はパネルマイコン１３１とＬＥＤ駆動回路１３２と７個のＬＥＤ１３３、１３３、・・・とメトロノームのテンポを切り替えるための速度調整つまみ１３４とを有する（図４０参照）。
【０１９１】
化粧パネル３０Ｊには、左右方向に一列に配列されたＬＥＤ１３３、１３３、・・・のうち、その両端に位置するＬＥＤ１３３ｌと１３３ｒは他のＬＥＤ１３３、１３３、・・・とではその表示色が異なるようになっている（図４１参照）。これにより、両端に位置したＬＥＤ１３３ｌ、１３３rが発光することによりメトロノームの折り返しであることが分かる。
【０１９２】
そして、各ＬＥＤ１３３、１３３、・・・はパネルマイコン１３１に記憶されたメトロノームのプログラムにより、ＬＥＤ駆動回路１３２を駆動して、所定のＬＥＤ１３３、１３３、・・・が発光する。
【０１９３】
また、速度調整つまみ１３４の調整すると、その変更された情報をパネルマイコン１３１が受けて、メトロノームの速度（テンポ）を調整するようになっている。
【０１９４】
携帯電話機１Ｊは、本体側電子回路部１３５を備え、該本体側電子回路部１３５は、無線部１３６と本体マイコン１３７とスピーカ１３８を備え、本体マイコン１３７は上記したパネルマイコン１３１から発信されるメトロノームの情報を受けて、上記スピーカ１３８を駆動する。
【０１９５】
これにより、メトロノームによるＬＥＤ１３３、１３３、・・・の連続的な発光に伴い、携帯電話機１Ｊのスピーカ１３８から同期した「音」が発せられるようになっている。この「音」の発するタイミングは、例えば、両端のＬＥＤ１３３ｌ又は１３３ｒが発光したときとする。
【０１９６】
前記した各実施の形態とその変形例及び各比較例とその変形例は、上述のように、携帯電話機１側の電子回路部との関わりを持った機能を外装パネルに持たせるものであるが、本発明はこのような機能に限定されず、携帯電話機１側の電子回路部とは全く別の独立した電子回路部によって、他の機能を外装パネルに付加することができる。
【０１９７】
図４２及び図４３は、本発明の第５の比較例を示したもので、この第５の比較例は、外装パネルに防犯ブザーの機能を備えたものである。また、この比較例にかかる外装パネルは、携帯電話機のいわゆる電池蓋であり、該電池蓋に上記防犯ブザーの機能を付加したものである。
【０１９８】
携帯電話機１Ｋの操作部本体２の操作面２ａと反対側の面（以下、「バッテリ面」という。）には、電池蓋１４０が着脱自在に支持されており、該電池蓋１４０を取り外すと、バッテリ収納部１４１が開放されてバッテリ１４２の取り出しが可能となる。
【０１９９】
バッテリ収納部１４１は、上記バッテリ１４２が収納された状態で、後方側に空間１４３を有し、該空間１４３は後述する電池蓋１４０に設けられたパネル側電子回路部１４４が収納される。
【０２００】
電池蓋１４０の裏面にはその後端部にパネル側電子回路部１４４が設けられ、該パネル側電子回路部１４４は、電源１４５とスイッチ１４６とブザー１４７を有する。尚、図示は省略するが、上記スイッチ１４６は電池蓋１４０が携帯電話機１Ｋの操作部本体２から取り外されるとＯＮするようになっている。さらに、かかる機能を有効にするか否かは、また別に設けられた選択スイッチなどにより選択される。
【０２０１】
しかして、予め上記防犯ブザーの機能を選択した状態で、電池蓋１４０を携帯電話機１Ｋの操作部本体２から取り外すと、上記スイッチ１４６がＯＮされ、ブザー１４７が鳴る。これにより、携帯電話機１Ｋは防犯ブザーとしての機能を有する。
【０２０２】
パネル側電子回路部１４４の電源１４５としては、二次電池を用いた場合には、携帯電話機１Ｋを充電すると同時に充電できるようにすると良い。この場合、上記電池蓋１４０のパネル側電子回路部１４４と携帯電話機１Ｋの電子回路部とを上述したような接続手段により接続しておけばよい。
【０２０３】
上記電源１４５は、二次電池に限らず、ソーラーバッテリ、振動発電機などの発電機であっても良い。
【０２０４】
尚、図示は省略したが、上記電池蓋１４０のパネル側電子回路部１４４と携帯電話機１Ｋの電子回路部とを上述したような接続手段により接続して、パネル側電子回路部１４４の電源１４５を携帯電話機１Ｋのバッテリ切れ時の補助電源として利用することもできる。
【０２０５】
また、このように、携帯電話機１Ｋ側の電子回路部とは全く別の独立した電子回路部として、時計、レーザポインター、ライト、ラジオ、温度計、体脂肪計、血圧計、万歩計（登録商標）、移動距離計などが考えられる。
【０２０６】
さらに、上記各実施の形態とその変形例及び各比較例とその変形例で説明した携帯電話機は、いわゆる折り畳みタイプの携帯電話機であったが、本発明はこれに限らず、いわゆるストレートタイプの携帯電話機にも適用することもできる。
【０２０７】
さらにまた、上記した各実施の形態とその変形例及び各比較例とその変形例は、本発明モバイル情報端末機器及びその外装パネルを携帯電話機及びその化粧パネルに適用してものについて説明したが、本発明はこれに限らず、例えば、ＰＤＡ（Personal Digital Assistant）等のモバイル情報端末機器及びその外装パネルにも適用することもできる。
【図面の簡単な説明】
【０２０８】
【図１】図２乃至図１９と共に本発明の第１の比較例を示すものであり、本図は表示部本体を開いた状態を示す斜視図である。
【図２】化粧パネルを携帯電話機に取り付ける前の状態を示す斜視図である。
【図３】化粧パネルを携帯電話機に取り付ける前の状態を示す平面図である。
【図４】化粧パネルを携帯電話機に取り付ける前の状態を示す側面図である。
【図５】化粧パネルの底面図である。
【図６】要部を分解して示す拡大断面図側面図である。
【図７】図６のVII−VII線に沿う拡大断面図である。
【図８】ブロック図である。
【図９】点滅パターンの一例を示す概略平面図である。
【図１０】点滅パターンの別の一例を示す概略平面図である。
【図１１】点滅パターンのまた別の一例を示す概略平面図である。
【図１２】点滅パターンのさらに別の一例を示す概略平面図である。
【図１３】発光部の第１の変形例を示す概略平面図である。
【図１４】発光部の第２の変形例を示す概略平面図である。
【図１５】発光部の第３の変形例を示す概略平面図である。
【図１６】発光部の第４の変形例を示す概略平面図である。
【図１７】発光部の第５の変形例を示す概略平面図である。
【図１８】携帯電話機と化粧パネルとの接続手段の第１の変形例を示す概略側面図である。
【図１９】携帯電話機と化粧パネルとの接続手段の第２の変形例を示す概略側面図である。
【図２０】第２の比較例を示すブロック図である。
【図２１】第２の比較例の変形例を示すブロック図である。
【図２２】図２３乃至図２５と共に本発明の第１の実施の形態を示したもので、本図は化粧パネルの概略平面図である。
【図２３】ブロック図である。
【図２４】使用状態を説明する概略図である。
【図２５】電子回路の変形例を示すブロック図である。
【図２６】図２７乃至図３０と共に本発明の第２の実施の形態を示したもので、本図は化粧パネルの概略平面図である。
【図２７】ブロック図である。
【図２８】使用状態を説明する概略図である。
【図２９】電子回路の変形例を示すブロック図である。
【図３０】発光部の変形例を示し、その使用状態を説明する概略図である。
【図３１】図３２乃至図３４と共に本発明の第３の実施の形態を示したもので、本図は化粧パネルの概略平面図である。
【図３２】ブロック図である。
【図３３】使用状態を説明する概略図である。
【図３４】電子回路の変形例を示すブロック図である。
【図３５】図３６乃至図３８と共に本発明の第３の比較例を示したもので、本図は化粧パネルの概略平面図である。
【図３６】ブロック図である。
【図３７】電子回路の変形例を示すブロック図である。
【図３８】発光部の変形例を示す概略平面図である。
【図３９】図４０及び図４１と共に本発明の第４の比較例を示したもので、本図は化粧パネルの概略平面図である。
【図４０】ブロック図である。
【図４１】点滅パターンの一例を示す概略平面図である。
【図４２】図４３と共に本発明の第５の比較例を示したもので、本図は側面図である。
【図４３】ブロック図である。
【符号の説明】
【０２０９】
１Ｅ…携帯電話機（モバイル情報端末機器）、３…操作部本体（本体ケース）、３０Ｅ…化粧パネル（外装パネル）、８０…パネル側電子回路部、８２…ＬＥＤ駆動回路、８３…ＬＥＤ（ＬＥＤユニット）、８５…本体側電子回路部、８６…無線部、８７…本体マイコン、８８…ＧＰＳ回路、１Ｆ…携帯電話機（モバイル情報端末機器）、３０Ｆ…化粧パネル（外装パネル）、９０…パネル側電子回路部、９２…ＬＥＤ駆動回路、９３…ＬＥＤ（ＬＥＤユニット）、９４…地磁気センサー、９７…本体側電子回路部、９８…無線部、９９…本体マイコン、１００…ＧＰＳ回路、１Ｇ…携帯電話機（モバイル情報端末機器）、３０Ｇ…化粧パネル（外装パネル）、１１０…パネル側電子回路部、１１２…ＬＥＤ駆動回路、１１３…ＬＥＤ（ＬＥＤユニット）、１１６…本体側電子回路部、１１７…無線部、１１８…本体マイコン、１１９…ＧＰＳ回路、
【図１】
2008295077.tif 000003
【図２】
2008295077.tif 000004
【図３】
2008295077.tif 000005
【図４】
2008295077.tif 000006
【図５】
2008295077.tif 000007
【図６】
2008295077.tif 000008
【図７】
2008295077.tif 000009
【図８】
2008295077.tif 000010
【図９】
2008295077.tif 000011
【図１０】
2008295077.tif 000012
【図１１】
2008295077.tif 000013
【図１２】
2008295077.tif 000014
【図１３】
2008295077.tif 000015
【図１４】
2008295077.tif 000016
【図１５】
2008295077.tif 000017
【図１６】
2008295077.tif 000018
【図１７】
2008295077.tif 000019
【図１８】
2008295077.tif 000020
【図１９】
2008295077.tif 000021
【図２０】
2008295077.tif 000022
【図２１】
2008295077.tif 000023
【図２２】
2008295077.tif 000024
【図２３】
2008295077.tif 000025
【図２４】
2008295077.tif 000026
【図２５】
2008295077.tif 000027
【図２６】
2008295077.tif 000028
【図２７】
2008295077.tif 000029
【図２８】
2008295077.tif 000030
【図２９】
2008295077.tif 000031
【図３０】
2008295077.tif 000032
【図３１】
2008295077.tif 000033
【図３２】
2008295077.tif 000034
【図３３】
2008295077.tif 000035
【図３４】
2008295077.tif 000036
【図３５】
2008295077.tif 000037
【図３６】
2008295077.tif 000038
【図３７】
2008295077.tif 000039
【図３８】
2008295077.tif 000040
【図３９】
2008295077.tif 000041
【図４０】
2008295077.tif 000042
【図４１】
2008295077.tif 000043
【図４２】
2008295077.tif 000044
【図４３】
2008295077.tif 000045